(57)【特許請求の範囲】
【請求項１】
商品を横並びに適宜間隔で保持する保持部が一定の傾斜角で階段状に設けられている陳列部材と、前記一定の傾斜角を保持した状態で前記陳列部材が支持される支持部材と、この支持部材を載置する載置面が上方へ開放可能に形成された箱型の土台部材とからなり、前記土台部材の前記載置面を開放した状態で上下に反転し、前記商品を保持している陳列部材を支持部材に支持させた状態で、その上方から前記反転した土台部材を被せて梱包し、前記商品を輸送可能に構成した展示兼用輸送箱において、
上記陳列部材は、一定の傾斜角で設置される傾斜部と、該傾斜部の左右両端から該傾斜部に対して直角で上方向に延設された左右の側面部と、前記傾斜部の上端から前記傾斜角に対して鉛直の上方向へ延設された背面部と、前記傾斜部の下端から前記傾斜角に対して水平の前方向へ延設された下面部と、該下面部の前端から該下面部に対して直角で上方向へ延設された前面部とからなる方形の箱体と、
商品を横並びに適宜間隔で保持して陳列する水平面と、該水平面の前端縁からほぼ直角に垂れ下がる垂直面とが階段状に連設されてなる保持部とからなり、
前記保持部の水平面または垂直面の少なくとも何れかが、前記箱体の傾斜部または左右両側面部の少なくとも何れかの内側に係止されており、
かつ、上記保持部の水平面に適宜間隔で切り起こし部を設け、該切り起こし部が前記垂直面と一体面に切り起こされて上記商品を保持するように構成されたことを特徴とする展示兼用輸送箱。
【請求項２】
上記支持部材は、方形の底面部と、該底面部の左右両端から垂直に立設された左右の側面部と、前記底面部の前端から垂直に立設された前面部と、前記底面部の後端から垂直に立設された背面部とからなる箱体であって、
前記左右の側面部の内側には、上記陳列部材を上記一定の傾斜角に保持して支持する受け部が設けられ、さらに、前記左右の側面部と前面部と背面部にはそれぞれ上方へ突出する係止部を設けて前記陳列部材を所定位置に係止するように構成されたことを特徴とする請求項１記載の展示兼用輸送箱。
【請求項３】
商品を横並びに適宜間隔で保持する保持部が一定の傾斜角で階段状に設けられている陳列部材と、前記一定の傾斜角を保持した状態で前記陳列部材が支持される支持部材と、この支持部材を載置する載置面が上方へ開放可能に形成された箱型の土台部材とからなり、前記土台部材の前記載置面を開放した状態で上下に反転し、前記商品を保持している陳列部材を支持部材に支持させた状態で、その上方から前記反転した土台部材を被せて梱包し、前記商品を輸送可能に構成した展示兼用輸送箱において、
上記土台部材は、方形の底面部と、該底面部の左右両端から垂直に立設された左右の側面部と、前記底面部の前端から垂直に立設された前面部と、前記底面部の後端から垂直に立設された背面部とからなる箱体であって、
前記左右の側面部と前面部と背面部の上部が、それぞれで内側へ水平状態に折り込まれて方形の載置面が形成され、かつ、該載置面の四隅に係止部を上方へ突設させて上記支持部材を所定位置に係止するように構成されたことを特徴とする展示兼用輸送箱。
【発明の詳細な説明】
【技術分野】
【０００１】
本発明は展示兼用輸送箱に関するものであり、特に、食品や飲料品を初めとする各種容器や日用品や雑貨などの商品を梱包して輸送する箱であって、輸送後に当該商品を陳列して展示できる展示兼用輸送箱に関するものである。
【背景技術】
【０００２】
従来、店頭での商品展示に際しては、輸送箱から商品を一つずつ取り出してショーケースや陳列棚に並べる方法が一般的である。例えば食品や飲料品などの容器を展示する場合、同種類の商品が各社で多数同じ場所に陳列されるため、一つの商品の陳列スペースは１〜２列程度となる。
【０００３】
したがって、当該商品と他社の商品との区別がつきにくく、展示の見栄えもよくない。また、輸送箱から商品を一つずつ取り出して、ショーケースや陳列棚に一つずつ陳列する手間が大変であった。さらに、商品展示後には不要となる輸送箱の廃棄処理が無駄で不経済である。
【０００４】
このような不具合を解消するために、商品の輸送と展示とを兼用させた箱が提案されている。例えば、一枚の紙シートを材料とし、底板の四辺にそれぞれ折り線を介して前側板、後側板および左右妻板を連接するとともに、左右妻板の延長上にそれぞれ折り線を介して内妻板を延設し、その両側縁と前後側板の両側縁に折り込みフラップを設け、一方、前側板の延長上にそれぞれ折り線を介して内側板を延設し、また、後側板の延長上にそれぞれ折り線を介して接続板と商品保持部を有する中底板を順に連接し、さらに、中底板は底板とほぼ同じ大きさとし、接続板は高さを前後側板よりも低くして、中底板の三辺に支持脚を設けたディスプレイ兼用包装箱が知られている（例えば特許文献１参照）。
【０００５】
また、各一対の端壁および側壁からそれぞれ延出した内フラップと外フラップとを重ね合わせて封緘する段ボール箱において、対向する外フラップのうち、少なくとも一方の外フラップに、裏面に貼着したカットテープにより両側部分を残して横方向まで切断する帯裂部を設け、この帯裂部の両端の切り込みから外フラップの先端縁まで切れ目線を入れた梱包陳列兼用箱が知られている（例えば特許文献２参照）。
【０００６】
また、物品を適宜の配置で陳列保持するための係合部が設けられた陳列面と、上記陳列面の左右両端部からそれぞれ垂下する左右の側面とを有し、上記陳列面の前端縁から後端縁に至るほぼ全面が、上記係合部を除き、一定の傾斜角θで傾斜する上り傾斜面になっている物品陳列台を、左右の側面形状および陳列面の傾斜角は同一となり、対象とする物品とその配置が互いに異なる設定で、少なくとも一個ずつ複数種類用意し、上記物品陳列台を左右方向に隙間なく並べることにより、全体として一つづきの傾斜した陳列面を形成し、その並べる物品陳列台の数と種類に応じて、適宜の物品陳列形態を得るようにした物品陳列方法が知られている（例えば特許文献３参照）。
【特許文献１】特開２００５−２２６６１号公報
【特許文献２】特開２００５−３５６１５号公報
【特許文献３】特開２００５−５２３７４号公報
【発明の開示】
【発明が解決しようとする課題】
【０００７】
特許文献１記載の発明は、一枚の紙シートを折り込んで、接着やホッチキス止めなどの固定手段を用いることなく製函することができ、輸送用箱を店頭で商品を露出できるディスプレイ箱として使用できる。しかし、中底板の穴に商品を収納するため、商品の陳列状態が平面的であり、リンゴやナシなどの果実類には適するが、他の食品や飲料品などの陳列には見栄えが悪く、購買意欲を高揚するものではない。
【０００８】
特許文献２記載の発明は、外フラップをカットテープの帯裂部から切れ目線に沿って切断することにより、カッターナイフを使用せずに店頭で簡単に所定形状に開口することができ、いくつかの箱の開口部を揃えて正面に向けて積み上げることにより、箱の内部に収納された商品を陳列することができる。しかし、箱の中に小さな商品が多数収納されている場合は、これらの商品が開口部から外へこぼれ落ちるおそれがあり、商品の形状によっては開口部から取り出し難いこともある。
【０００９】
特許文献３記載の発明は、複数種類の物品陳列台を、店舗の規模や物品の種類に応じて適宜数組み合わせて並べることにより、並べられた陳列台が一定の傾斜角で一つづきの陳列面を形成するため、統一感のある陳列形態が得られる。しかし、商品の輸送に関しては何ら開示されておらず、陳列台の形状からしても、物品を陳列したまま輸送することは不可能である。
【００１０】
そこで、各種容器や日用品や雑貨などの商品を梱包して輸送し、輸送後の商品を簡単に陳列して展示できるような展示兼用輸送箱を提供するために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、商品を横並びに適宜間隔で保持する保持部が一定の傾斜角で階段状に設けられている陳列部材と、前記一定の傾斜角を保持した状態で前記陳列部材が支持される支持部材と、この支持部材を載置する載置面が上方へ開放可能に形成された箱型の土台部材とからなり、前記土台部材の前記載置面を開放した状態で上下に反転し、前記商品を保持している陳列部材を支持部材に支持させた状態で、その上方から前記反転した土台部材を被せて梱包し、前記商品を輸送可能に構成した展示兼用輸送箱において、
上記陳列部材は、一定の傾斜角で設置される傾斜部と、該傾斜部の左右両端から該傾斜部に対して直角で上方向に延設された左右の側面部と、前記傾斜部の上端から前記傾斜角に対して鉛直の上方向へ延設された背面部と、前記傾斜部の下端から前記傾斜角に対して水平の前方向へ延設された下面部と、該下面部の前端から該下面部に対して直角で上方向へ延設された前面部とからなる方形の箱体と、
商品を横並びに適宜間隔で保持して陳列する水平面と、該水平面の前端縁からほぼ直角に垂れ下がる垂直面とが階段状に連設されてなる保持部とからなり、
前記保持部の水平面または垂直面の少なくとも何れかが、前記箱体の傾斜部または左右両側面部の少なくとも何れかの内側に係止されており、
かつ、上記保持部の水平面に適宜間隔で切り起こし部を設け、該切り起こし部が前記垂直面と一体面に切り起こされて上記商品を保持するように構成されたことを特徴とする展示兼用輸送箱を提供する。
【００１２】
この構成によれば、陳列部材に保持部が階段状に設けられ、該保持部に商品が横並びに保持される。商品を保持した陳列部材は一定の角度を保持した状態で支持部材に支持され、その上方から上下に反転した土台部材を被せて梱包することにより、商品を輸送可能な状態にする。
【００１３】
このように梱包された輸送箱で商品が輸送された後に、店頭などで商品を展示する場合は、前述の梱包とは逆の手順で、前記土台部材を引き上げてから上下に反転し、該土台部材の上部を閉止して載置面を形成する。そして、この載置面に前記支持部材を載置し、さらに商品が保持されている前記陳列部材を支持部材に支持させれば、陳列部材と支持部材と土台部材が一体的に安定した状態で積み重ねられ、商品が横並びに一定の傾斜角で階段状に陳列されて、見栄えよく店頭に展示することができる。
【００１５】
この構成によれば、陳列部材は、傾斜部と左右の側面部と背面部と下面部と前面部とからなる箱体の内部に、水平面と垂直面とが階段状に連接してなる保持部材を係止して形成され、該陳列部材に商品が横並びに適宜間隔でかつ階段状に収納することができる。
【００１７】
この構成によれば、保持部に設けられている切り起こし部により、商品が水平面から落下することなく、安定した状態で確実に保持される。また、切り起こし部が垂直面と一体面に切り起こされて垂直面から突出していないため、下段の水平面に陳列されている商品に干渉することがない。
【００１８】
請求項２記載の発明は、上記支持部材は、方形の底面部と、該底面部の左右両端から垂直に立設された左右の側面部と、前記底面部の前端から垂直に立設された前面部と、前記底面部の後端から垂直に立設された背面部とからなる箱体であって、
前記左右の側面部の内側には、上記陳列部材を上記一定の傾斜角に保持して支持する受け部が設けられ、さらに、前記左右の側面部と前面部と背面部にはそれぞれ上方へ突出する係止部を設けて前記陳列部材を所定位置に係止するように構成されたことを特徴とする請求項１記載の展示兼用輸送箱を提供する。
【００１９】
この構成によれば、支持部材は、底面部と左右の側面部と前面部と背面部とからなる箱体に一定の傾斜角を有する受け部が設けられ、商品を陳列した陳列部材が一定角度を保持した状態で支持部材の受け部で支持される。そして、側面部と前面部と背面部に突出する係止部で前記陳列部材が所定位置に係止され、商品を陳列した陳列部材が安定した状態で支持部材に支持される。
【００２０】
請求項３記載の発明は、商品を横並びに適宜間隔で保持する保持部が一定の傾斜角で階段状に設けられている陳列部材と、前記一定の傾斜角を保持した状態で前記陳列部材が支持される支持部材と、この支持部材を載置する載置面が上方へ開放可能に形成された箱型の土台部材とからなり、前記土台部材の前記載置面を開放した状態で上下に反転し、前記商品を保持している陳列部材を支持部材に支持させた状態で、その上方から前記反転した土台部材を被せて梱包し、前記商品を輸送可能に構成した展示兼用輸送箱において、
上記土台部材は、方形の底面部と、該底面部の左右両端から垂直に立設された左右の側面部と、前記底面部の前端から垂直に立設された前面部と、前記底面部の後端から垂直に立設された背面部とからなる箱体であって、
前記左右の側面部と前面部と背面部の上部が、それぞれで内側へ水平状態に折り込まれて方形の載置面が形成され、かつ、該載置面の四隅に係止部を上方へ突設させて上記支持部材を所定位置に係止するように構成されたことを特徴とする展示兼用輸送箱を提供する。
【００２１】
この構成によれば、土台部材は、底面部と左右の側面部と前面部と背面部とからなる箱体であり、左右の側面部と前面部と背面部の上部をそれぞれ内側へ水平状態に折り込むことにより、折り込まれた部分が水平状態の載置面となる。この載置面に、前記支持部材を載置し、さらに、前記商品が保持されている陳列部材を支持部材に支持させれば、陳列部材と支持部材と土台部材が一体的に安定した状態で積み重ねられる。そして、載置面の四隅に突設された係止部で支持部材が所定位置に係止され、安定した状態で商品を展示することができる。
【発明の効果】
【００２２】
本発明の展示兼用輸送箱は、上述したように、階段状に設けられた陳列部材に商品を保持させたまま支持部材に支持させ、該支持部材と陳列部材に土台部材を被せて梱包し、前記商品輸送するように構成され、輸送された後に店頭などで商品を展示する場合は、前記土台部材を引き上げ、土台部材に載置面を形成してその上に支持部材を載置し、さらに陳列部材を前記支持部材に支持させることで、きわめて簡単に陳列部材と支持部材と土台部材が一体的に安定した状態に組み立てられる。
【００２３】
陳列部材には、予め輸送時から商品が横並びに適宜間隔で、かつ、一定の傾斜角で階段状に保持されているので、陳列された商品の視覚効果が良好であり、商品を一つずつ並べるような労力が不要で、該陳列部材を支持部材に支持させるだけで、きわめて見栄えよく商品を陳列することができる。
【００２４】
また、支持部材が土台部材の上に載置されているので、商品の陳列高さを最適な高さに確保でき、より効果的に展示することができる。土台部材は載置面を開放することにより、商品を保持している陳列部材と支持部材の上方から被せることができ、梱包時の収納スペースを最小限の大きさにすることができる。
【００２５】
このように、各種容器や日用品や雑貨などの商品を梱包して輸送し、輸送後の商品を簡単に陳列して展示できるとともに、商品の陳列状態の見栄えが良好で、ユーザーに対するインパクトが大きい。
【発明を実施するための最良の形態】
【００２６】
以下、本発明に係る展示兼用輸送箱について、好適な実施例をあげて説明する。各種容器や日用品や雑貨などの商品を梱包して輸送し、輸送後の商品を簡単に陳列して展示できるようにするという目的を、商品を横並びに適宜間隔で保持する保持部が一定の傾斜角で階段状に設けられている陳列部材と、前記一定の傾斜角を保持した状態で前記陳列部材が支持される支持部材と、この支持部材を載置する載置面が上方へ開放可能に形成された箱型の土台部材とからなり、前記土台部材の前記載置面を開放した状態で上下に反転し、前記商品を保持している陳列部材を支持部材に支持させた状態でその上方から前記反転した土台部材を被せ、さらに、この状態で上方から外装カバーを被せて梱包するように構成したことにより実現した。
【実施例１】
【００２７】
図１は各部材が組み立てられて商品を展示した状態の展示兼用輸送箱１０の斜視図であり、該展示兼用輸送箱１０は段ボールにて形成され、商品５０を横並びに適宜間隔でかつ階段状に収納保持する陳列部材２０と、該陳列部材２０を一定の傾斜角を保持した状態で支持する支持部材３０と、この支持部材３０を載置する土台部材４０とから構成されている。また、展示兼用輸送箱１０の背面上部に上部ＰＯＰ６０を取り付けてある。
【００２８】
図２は前記陳列部材２０を示し、（ａ）は斜視図、（ｂ）は側面図である。この陳列部材２０は、一定の傾斜角で設置される傾斜部２１と、該傾斜部２１の左右両端から傾斜部２１に対して直角で上方向に延設された左右の側面部２２ａ，２２ｂと、前記傾斜部２１の上端から傾斜部２１に対して鉛直の上方向へ延設された背面部２３と、前記傾斜部２１の下端から前記傾斜角に対して水平の前方向へ延設された下面部２４と、該下面部２４の前端から下面部２４に対して直角で上方向へ延設された前面部２５とから箱体２０Ａが形成されている。
【００２９】
また、この箱体２０Ａの中には、前記商品５０を横並びに適宜間隔で保持して陳列する水平面２６ａと、該水平面２６ａの前端縁からほぼ直角に垂れ下がる垂直面２６ｂとが、前記傾斜部２１に沿って階段状に連設されてなる保持部２０Ｂが設けられ、この保持部２０Ｂの水平面２６ａまたは垂直面２６ｂの少なくとも何れかが、前記箱体２０Ａの傾斜部２１または左右両側面部２２ａ，２２ｂの少なくとも何れかの内側へ係止されている。
【００３０】
前記保持部２０Ｂの水平面２６ａには、適宜間隔で切り起こし部２７を設け、該切り起こし部２７が前記垂直面２６ｂと一体面に切り起こされている。したがって、前記水平面２６ａに商品５０を載置したときに、この切り起こし部２７により商品５０が水平面から落下することなく、横並びに適宜間隔で安定した状態で確実に保持される。また、切り起こし部２７が垂直面２６ｂと一体面に切り起こされて垂直面２６ｂから突出していないため、下段の水平面２６ａに陳列されている商品５０に干渉することがない。
【００３１】
本実施例では、前記箱体２０Ａは１枚の段ボールを所定の形状に裁断し、前記傾斜部２１に相当する部分の左右両端をそれぞれ直角に内側へ折り曲げ、その先端をさらに内側へ折り返して二重構造の左右の側面部２２ａ，２２ｂが形成される。また、前記傾斜部２１の上端を前述の鉛直となる角度で内側へ折り曲げ、その先端をさらに内側へ折り返して二重構造の背面部２３が形成される。また、前記傾斜部２１の下端を前述の水平となる角度で内側へ折り曲げて下面部２４を形成し、つづいて、該下面部２４の前端を直角に内側へ折り曲げ、その先端をさらに内側へ折り返して二重構造ので前面部２５を形成するとともに、さらに、該前面部２４の先端を前記下面部２４の内側に沿って直角に折り返し、該下面部２４を二重構造にして箱体２０Ａが構成される。
【００３２】
なお、前記左右の側面部２２ａ，２２ｂの両端と、背面部２３、下面部２４、前面部２５の各両端は、相互に差し込みあって箱状に固定される。また、前記傾斜部２１には、箱体２０Ａの内側から別部材で方形の段ボールを装着して二重構成とする。
【００３３】
一方、前記保持部２０Ｂは、１枚の段ボールを所定の形状に裁断し、所定部分を山折りして水平面２６ａと垂直面２６ｂとからなる段部を形成し、この段部の水平面２６ａの反対側を谷折りして上段側に隣接する段部の垂直面２６ｂを形成するとともに、垂直面２６ｂの反対側を谷折りして下段側に隣接する段部の水平面２６ａを形成する。
【００３４】
ここで、切り起こし部２７を形成するために、前記水平面２６ａには適宜間隔で、山折り部分を除く方形の三辺に切り込みを設けておく。山折りして水平面２６ａと垂直面２６ｂを形成する際に、前記方形の残りの一辺は山折りされず、前記三辺が水平面２６ａから切り離されて、方形の切り起こし部２７が垂直面２６ｂと同一面でかつ水平面２６ａより上方へ突出して切り起こされる。
【００３５】
また、前記水平面２６ａの反対側にもいくつかの小さい切り込みを設けておき、谷折りして隣接の垂直面２６ｂを形成する際に、切り起こし部２８が隣接する垂直面２６ｂと同一面でかつ水平面２６ａより下方（保持部２０Ｂの裏面側）へ突出して切り起こされる。なお、保持部２０Ｂは水平面２６ａと垂直面２６ｂが階段状に連設されているので、二重構成としなくても十分な機械的強度を備えている。
【００３６】
前記箱体２０Ａの傾斜部２１の内面および左右側面部２２ａ，２２ｂの内面には、予め所定位置に切り込み（図示せず）を設けてあり、前記保持部２０Ｂの裏面側へ突出している切り起こし部２８を前記傾斜部２１の切り込みに差し込んで係止するとともに、前記保持部２０Ｂの水平面２６ａまたは垂直面２６ｂの左右端に設けられた突起部（図示せず）を前記左右側面部２２ａ，２２ｂの切り込みに差し込んで係止することにより、階段状に形成した保持部２０Ｂは前記箱体２０Ａに確実に固定される。
【００３７】
このように、前記箱体２０Ａを構成する各部材が段ボールの二重構造となっているため、軽量でありながら十分なる強度を具備しており、例えば商品５０が飲料水を収容したガラス容器であったとしても、これらの商品５０を階段状の前記保持部２０Ｂに多数載置して、安定した状態で陳列することが可能である。なお、本実施例では、陳列部材２０の背面部２３にＰＯＰ２９として商品の商標やキャラクターなどを表示してある。
【００３８】
図３は前記支持部材３０の斜視図であり、この支持部材３０は、方形の底面部３１と、該底面部３１の左右両端から垂直に立設された左右の側面部３２ａ，３２ｂと、前記底面部３１の前端から垂直に立設された前面部３３と、前記底面部３１の後端から垂直に立設された背面部３４とからなる箱体であり、左右の側面部３２ａ，３２ｂの上端は、前記陳列部材２０を一定の傾斜角で保持するために同じ角度に傾斜しており、左右の側面部３２ａ，３２ｂの内側には、前記陳列部材２０を受けて支持する受け部３５が設けられている。
【００３９】
この受け部３５は、前記陳列部材２０の傾斜部２１を受ける左受け部３５ａおよび右受け部３５ｂと、前記陳列部材２０の下面部２４を受ける下受け部３５ｃとからなり、下受け部３５ｃの前端縁には前記前面部３３が下受け部３５ｃよりも上方へ突出して、前記陳列部材２０の前面部２５を係止する係止面部３３ａが延設されている。前記左右の側面部３２ａ，３２ｂの上端は左右の受け部３５ａ，３５ｂの傾斜にそって前下がりとなり、左右の側面部３２ａ，３２ｂの前端部近傍は、前記下受け部３５ｃよりも徐々に高くなって、前記前面部３３の係止部３３ａと同じ高さまで突出している。
【００４０】
また、前記左右の側面部３２ａ，３２ｂと前記背面部３４との角部には、前記左右の受け部３２ａ，３２ｂよりも上方へ突出した係止部３６ａ，３６ｂが設けられ、さらに、前記背面部３４の上端中央部にも中央係止部３６ｃが突設されている。なお、前記左右の側面部３２ａ，３２ｂには、水平方向に長い長円形の切り起こし部３７ａ，３７ｂを設けてある。この切り起こし部３７ａ，３７ｂは、長円形の前後端および下端を切り離して左右の側面部３２ａ，３２ｂの内側へ切り起こされており、後述するように、商品を陳列した陳列部材２０を支持部材３０に載置した状態で、支持部材３０を持ち上げて移動する際に、運搬者の手を差し入れて把持しやすいようにするためのものである。
【００４１】
本実施例では、前記支持部材３０は１枚の段ボールを所定の形状に裁断し、前記背面部３４に相当する部分の左右両端をそれぞれ直角に内側へ折り込んで左右の側面部３２ａ，３２ｂが形成され、左右何れか一方の側面部、例えば左側面部３２ａの前端を直角に内側へ折り込んで、前記背面部３４に対向する前面部３３が形成される。前記背面部３４の上端は内側へ折り返されて二重構造となっている。
【００４２】
前面部３３の上部分には、前述したように係止面部３３ａが一体面にて延設され、その上端を内側へ折り返して係止面部３３ａを二重構造とし、その先端を直角に内側へ折り返して水平面の下受け部３５ｃを形成するとともに、さらに、先端を直角に下方へ折り曲げて内側前面部３３ｂを形成し、該内側前面部３３ｂの下端を前記底面部３１へ係止させる。すなわち、前面部３３および係止面部３３ａは、水平面の下受け部３５ｃとそれにつづく内側前面部３３ｂとから箱状に構成されている。
【００４３】
一方、前記左右の側面部３２ａ，３２ｂの上端は、所定の傾斜角度に設けられた折り線にて内側へ直角に折り曲げ、さらに、所定の平行幅を残してその先端を内側へ直角に折り曲げることにより、所定の幅で一定の傾斜角を有する左右の受け部３５ａ，３５ｂが形成される。さらに、左右の受け部３５ａ，３５ｂの内側に折り込まれた左右の内側側面部３８ａ，３８ｂは下端が底面部３１と平行な三角形状であり、該内側側面部３８ａ，３８ｂの後端はそれぞれ背面部３４の内側へ折り込まれている。すなわち、左右の側面部３２ａ，３２ｂは、所定幅の受け部３５ａ，３５ｂとそれにつづく内側側面部３８ａ，３８ｂとから断面コ字形の箱状に構成されている。
【００４４】
なお、前記左右の側面部３２ａ，３２ｂ、前面部３３、背面部３４のそれぞれの下端は直角に内側へ折り曲げられており、適宜形状に切り込みを施されて重ね合うことにより、テープや止め金具などの接合手段を用いることなく、一体面化されて前記底面部３１が形成され、箱状の支持部材３０が構成される。
【００４５】
このように、前記支持部材３０を構成する各部材が段ボールの二重構造あるいは箱状の構造となっているため、軽量でありながら十分なる強度を具備しており、前述の商品を保持した陳列部材２０を安定した状態で支持することができる。なお、図示は省略するが、支持部材３０の前面部３３や左右の側面部３２ａ，３２ｂに、商品に関する注意書きやＰＯＰを表示することもできる。
【００４６】
図４〜図６は前記土台部材４０を示し、図４は上部が開放された状態の正面図、図５は上部が開放された状態の側面図、図６は上部を内側へ折り込む途中の状態の側面図、図６は上部を水平に折り込んだ状態の斜視図である。
【００４７】
図４および図５に示すように、この土台部材４０は、方形の底面部４１と、該底面部４１の左右両端から垂直に立設された左右の側面部４２ａ，４２ｂと、前記底面部４１の前端から垂直に立設された前面部４３と、前記底面部４１の後端から垂直に立設された背面部４４とからなる長方形の箱体であり、各面の稜線の比較的高い位置に切り込み部４５が設けられている。該切り込み部４５は各面で左右対称に設けられ、稜線から一旦内側に向けて水平に切り込まれ、下方へ湾曲するＲ形状の切り込み部分を経て、斜め下方へ切り込まれている。左右の切り込み部４５，４５の内側端部間には、水平の山折り線４６が設けられている。
【００４８】
前記切り込み部４５の切り込み長さは、前面部４３と背面部４４で同一にし、左右の側面部４２ａ，４２ｂで同一にしてあるが、左右の側面部４２ａ，４２ｂの切り込み部４５は、前面部４３と背面部４４よりも切り込み長さをやや長くしてある。また、前記山折り線４６の長さも、前面部４３と背面部４４で同一にし、左右の側面部４２ａ，４２ｂで同一にしてあるが、左右の側面部４２ａ，４２ｂの山折り線４６は、前面部４３と背面部４４よりも山折り線長さをやや長くしてある。これは、本実施例では当該土台部材４０が上面視で正方形ではなく、前面部４３および背面部４４の幅よりも左右の側面部４２ａ，４２ｂの幅の方が大である長方形であるためである。
【００４９】
一方、前面部４３と背面部４４の上縁部４３ａ，４４ａは直線で、両端に斜めの隅切り部４３ｂ，４４ｂが設けられている。これに対して、左右側面部４２ａ，４２ｂの上縁部４２ａａ，４２ｂａは直線であるが、前面部４３と背面部４４の上縁部４３ａ，４４ａよりも高さが低く、かつ、その中央位置に方形の切り欠き部４２ａｂ，４２ｂｂが設けられている。さらに、この切り欠き部４２ａｂ，４２ｂｂの内側角部から前記切り込み部４５のＲ形状部分まで谷折り線４７が設けられている。前記切り欠き部４２ａｂ，４２ｂｂは、後述するように、左右の側面部４２ａ，４２ｂ、前面部４３、背面部４４の上部をそれぞれ内側へ水平状態に折り込む際に、左右側面部４２ａ，４２ｂの上縁部４２ａａ，４２ｂａ同士が干渉しないようにするためのものであり、各面の大きさや山折り線４６の位置などによっては必要ない場合もある。
【００５０】
商品を陳列する際は、図６に示すように、前記左右側面部４２ａ，４２ｂの谷折り線４７を谷折りするとともに、各面の山折り線４６を山折りすれば、左右の側面部４２ａ，４２ｂの上部が内側へ折り込まれると同時に、前面部４３および背面部４４の上部が内側に折り込まれる。各面にはそれぞれ切り込み部４５を設けてあるので、各面の上部がきわめて円滑に内側へ折り込まれる。
【００５１】
かくして、図７に示すように、折り込まれた左右の側面部の上部（図示せず）の上に、前面部４３および背面部４４の上縁部４３ａ，４４ａが重ね合わされて、折り込まれた部分が水平状態の載置面４８となる。そして、載置面４８の四隅には前記切り込み部４５の下側に残された部分が上方へ突出して係止部４９となり、後述するように、当該土台部材４０の載置面４８に前記支持部材３０を載置する際に、支持部材３０を所定位置に係止するように構成されている。
【００５２】
本実施例では、前記土台部材４０は、前面部と左右何れか一方の側面部、背面部と他方の側面部が、それぞれ１枚の段ボールを所定の形状に裁断して形成される。例えば１枚の段ボールを上面視で直角のＬ字形に折り曲げて前面部４３と左側面部４２ａが形成され、同様に他の１枚の段ボールを直角に折り曲げて背面部４４と右側面部４２ｂが形成される。そして、前後面部あるいは左右側面部の何れかの端縁部を直角に内側へ折り曲げて接合代を形成し、この接合代を接着や止め金具など適宜な接合手段にて接合することにより、上面視長方形の箱体が形成される。
【００５３】
なお、前記左右の側面部４２ａ，４２ｂ、前面部４３、背面部４４のそれぞれの下端は直角に内側へ折り曲げられており、適宜形状に切り込みを施されて重ね合うことにより、テープや止め金具などの接合手段を用いることなく、一体面化されて前記底面部４１が形成され、箱状の土台部材４０が構成される。
【００５４】
このように、前記土台部材４０を構成する各部材が段ボール箱状の構造となっているため、軽量でありながら十分なる強度を具備しており、左右の側面部４２ａ，４２ｂと前面部４３と背面部４４の上部をそれぞれ内側へ水平状態に折り込むことにより、折り込まれた部分が水平状態の載置面４８となり、前述の商品を保持した陳列部材２０を安定した状態で支持することができる。なお、本実施例では、土台部材４０の前面部４３にＰＯＰ４３ｃを表示してある。
【００５５】
次に、本発明の展示兼用輸送箱１０にて商品を輸送し、輸送後に商品を展示する手順を説明する。先ず、図２に示す前記陳列部材２０において、保持部２０Ｂのすべての水平面２６ａに商品５０を横並びに載置し、階段状に商品５０を保持させる。つづいて、図３に示す支持部材３０の受け部３５へ、前記商品を保持した陳列部材２０の傾斜部２１および下面部２４を受けさせる。
【００５６】
したがって、図８に示すように、前記商品５０を保持した陳列部材２０が、一定の傾斜角で支持部材３０の上に安定した状態で支持される。そして、斜め上方から段ボール製のカバー７０を被せて、陳列した商品５０を被蔽する。該カバー７０の正面部７０ａには左右方向に複数の切り込み部７１が設けられ、正面部７０ａの左右両側は下方へ直角に折り曲げられて左右の側面部７０ｂ，７０ｃが延設されている。
【００５７】
そして、前記陳列部材２０の保持部２０Ｂに並べた商品５０の上縁の一部分を該カバー７０の切り込み部７１で抑えるとともに、前記陳列部材２０の左右側面部２２ａ，２２ｂと支持部材３０の左右側面部３２ａ，３２ｂとの隙間に該カバー７０の左右側面部７０ｂ，７０ｃを差し込めば、該カバー７０が固定されて、輸送中の商品５０が振動して落下もしくは破損するのを防止する。
【００５８】
つづいて、図９に示すように、載置面４８が開放された状態の前記土台部材４０を上下に反転し、前記カバー７０で被蔽された陳列部材２０の上方から、前記開放された土台部材４０を被せれば、商品を保持した陳列部材２０と支持部材３０が土台部材４０にて覆われる。また、前記支持部材３０の下面に段ボールで形成した外装用底板８５を敷き、この外装用底板８５の折り返し部８５ａを上方へ直角に折り曲げて、前記土台部材４０の内側へ差し込む。
【００５９】
このように、土台部材４０を被せた状態でＰＰバンド（図示せず）を掛け回して梱包し、当該展示兼用輸送箱１０にて商品を輸送することができる。梱包された当該展示兼用輸送箱１０を持ち上げて移動する際は、土台部材４０の左右両側に設けた切り欠き部４２ａｂ，４２ｂｂから露出している前記支持部材３０の切り起こし部３７ａ，３７ｂに運搬者の手を差し入れて、当該展示兼用輸送箱１０を把持することができる。
【００６０】
さらに、図１０に示すように、上方から外装カバー８０を被せて梱包してもよい。この外装カバー８０は段ボールにて形成され、前面部８１と左側面部８２と、右側面部および背面部（いずれも図示せず）と、上面部８３とからなる下面が開放された立方体の箱である。左右の側面部の下部中央に、下縁部が開放された方形の切り欠き部８４が設けられている。該切り欠き部８４は前記支持部材３０の左右側面部３２ａ，３２ｂに設けられている長円形の切り起こし部３７ａ，３７ｂに対応する位置に設けられ、図示したように、前記外装用底板８５の折り返し部８５ａを外装カバー８０の内側へ挿入した状態で外装カバー８０を被せたときに、前記支持部材３０の切り起こし部３７ａ，３７ｂが切り欠き部８４から露出する。
【００６１】
前述の土台部材４０を被せた場合と同様に、この状態で、前記外装カバー８０および前記外装用底板８５にＰＰバンド（図示せず）を掛け回して梱包する。梱包された当該展示兼用輸送箱１０を持ち上げて移動する際は、外装カバー８０の切り欠き部８４から露出している前記支持部材３０の切り起こし部３７ａ，３７ｂに運搬者の手を差し入れて、当該展示兼用輸送箱１０を把持することができる。
【００６２】
このように、商品を陳列保持した状態のまま梱包して、販売店や展示会場などへ輸送した後に、店頭や会場などで商品を展示する場合は、前述とは逆の手順で梱包を解体する。先ず、図９あるいは図１０で説明したように、土台部材４０あるいは外装カバー８０に掛け回されたＰＰバンド（図示せず）を切断し、外装カバー８０がある場合は先ず外装カバー８０を上方に引き上げて取り除く。そして、どちらの場合も、図９に示す土台部材４０を引き上げて取り外し、支持部材３０の下面に敷いた外装用底板７５を取り除けば、図８に示すように、商品５０が陳列保持されている陳列部材２０および支持部材３０が露出する。
【００６３】
取り外した土台部材４０は、上下に反転して底面部４１を下にして設置し、前述したように、図６〜図７に示す手順で各面の上部を内側へ折り込んで水平状態の載置面４８を形成する。そして、前記陳列部材２０を支持している支持部材３０の底面部３１を、この土台部材４０の載置面４８に載置すれば、載置面４８の四隅に設けられている係止部４９により、支持部材３０が所定位置に係止され、商品５０が保持されている陳列部材２０および支持部材３０を土台部材４０の上に安定した状態で載置することができる。
【００６４】
そして、前述のカバー７０を取り外せば、図１に示すように、前記展示兼用輸送箱１０をきわめて簡単に組み立てることができ、陳列部材２０には、予め輸送時から商品５０が横並びに適宜間隔で、かつ、一定の傾斜角で階段状に保持されているので、陳列された商品５０の視覚効果が良好であり、商品５０を一つずつ並べるような労力が不要で、該陳列部材２０を支持部材３０に支持させるだけで、きわめて見栄えよく店頭や会場に商品５０を陳列することができる。
【００６５】
また、当該展示兼用輸送箱１０は、構成されている各部材の材料が段ボールであるので、展示後に不要となった場合はリサイクル材として再使用することが可能であり、廃棄処分による公害発生や資源の無駄使いを防止できる。
【００６６】
なお、本実施例では当該展示兼用輸送箱１０に展示される商品５０として、飲料水を充填したガラス容器を一例にあげたが、ビンに限らず金属製の缶や合成樹脂製の容器など種々の容器を陳列することができる。また、飲料品や食品に限らず日用品や雑貨などの商品を入れた容器であってもよく、さらに、袋詰めされた商品なども展示することが考えられる。
【００６７】
このように、本発明は、本発明の精神を逸脱しない限り種々の改変を為すことができ、そして、本発明が該改変されたものに及ぶことは当然である。
【図面の簡単な説明】
【００６８】
【図１】商品を展示した状態の本発明の展示兼用輸送箱の斜視図。
【図２】図１に示す陳列部材の説明図。
【図３】図１に示す支持部材の説明図。
【図４】図１に示す土台部材の上部開放状態を示す正面図。
【図５】図１に示す土台部材の上部開放状態を示す側面図。
【図６】図１に示す土台部材の折り込み過程を示す側面図。
【図７】図１に示す土台部材の載置面を示す斜視図。
【図８】図１に示す陳列部材を支持した状態の支持部材の斜視図。
【図９】図１に示す土台部材を上方から被せる過程を示す斜視図。
【図１０】梱包状態の本発明の展示兼用輸送箱の斜視図。
【符号の説明】
【００６９】
１０    展示兼用輸送箱
２０    陳列部材
２０Ａ  箱体
２０Ｂ  保持部
２１    傾斜部
２２ａ  左側面部
２２ｂ  右側面部
２３    背面部
２４    下面部
２５    前面部
２６ａ  水平面
２６ｂ  垂直面
２７    切り起こし部
２８    切り起こし部
２９    ＰＯＰ
３０    支持部材
３１    底面部
３２ａ  左側面部
３２ｂ  右側面部
３３    前面部
３３ａ  係止面部
３３ｂ  内側前面部
３４    背面部
３５    受け部
３５ａ  左受け部
３５ｂ  右受け部
３５ｃ  下受け部
３６ａ  左係止部
３６ｂ  右係止部
３６ｃ  中央係止部
３７ａ  切り起こし部
３７ｂ  切り起こし部
３８ａ  内側側面部
３８ｂ  内側側面部
４０    土台部材
４１    底面部
４２ａ  左側面部
４２ｂ  右側面部
４２ａａ  上縁部
４２ａｂ  切り欠き部
４２ｂａ  上縁部
４２ｂｂ  切り欠き部
４３    前面部
４３ａ  上縁部
４３ｂ  隅切り部
４３ｃ  ＰＯＰ
４４    背面部
４４ａ  上縁部
４４ｂ  隅切り部
４５    切り込み部
４６    山折り線
４７    谷折り線
４８    載置面
４９    係止部
５０    商品
６０    上部ＰＯＰ
７０    カバー
７０ａ  正面部
７０ｂ  左側面部
７０ｃ  右側面部
７１    切り込み部
８０    外装カバー
８１    前面部
８２    左側面部
８３    上面部
８４    切り欠き部
８５    外装用底板
８５ａ  折り返し部
【図１】
0004707486.tif 000002
【図２】
0004707486.tif 000003
【図３】
0004707486.tif 000004
【図４】
0004707486.tif 000005
【図５】
0004707486.tif 000006
【図６】
0004707486.tif 000007
【図７】
0004707486.tif 000008
【図８】
0004707486.tif 000009
【図９】
0004707486.tif 000010
【図１０】
0004707486.tif 000011